(57)【要約】【課題】ダンパーの弾性特性を変化させることなく、ディスクトレイの高さ調整を行う。【解決手段】ピックアップベース２５にダンパー３０を取り付ける。ディスクトレイ１４の係止孔１４ａにナット３１を圧入する。ダンパー３０の上にワッシャー３３を載せ、ワッシャー３３の上にＳＰＷ３４を載せる。次に、係止ネジ３２の係止軸３２ａを、ダンパー挿通孔３０ａ、ワッシャー挿通孔３３ａ、ＳＰＷ挿通孔３４ａの順に挿通した後、係止ネジ３２を回転して、係止軸３２ａをナット３１に係止する。ピックアップベース２７の高さ位置が正規の高さ位置に対してズレている場合には、正規の高さ及び傾きとなるように、係止ネジ３２を回転させて、係止軸３２ａとナット３１とのＡ方向の噛合量（係止量）を調整する。ワッシャー３３及びＳＰＷ３４は、Ａ方向におけるダンパー３０の長さＤＬを一定（圧縮量が一定）に保持する。【選択図】図６
2008016127.tif 000002
【特許請求の範囲】
【請求項１】
光ディスクが上面に装填されるディスクトレイと、
前記光ディスクを回転させるスピンドルモータ及び光ピックアップを保持し、前記ディスクトレイの下面に弾性体からなるダンパーを介して取り付けられるピックアップベースと、を備えた光ディスク装置において、
前記ピックアップベースを、前記光ディスクの記録面に直交する第１方向に位置を調整可能に取り付ける取付位置調整手段と、
前記第１方向における前記ダンパーの長さを一定に保持する保持手段と、を備えることを特徴とする光ディスク装置。
【請求項２】
前記取付位置調整手段は、
前記ディスクトレイに設けられた第１係止部と、
前記第１係止部に係止する第２係止部、前記ダンパーに形成された挿通孔を挿通される挿通軸、前記挿通孔よりも大きい径で形成される頭部を有する係止部材と、を備え、
前記第１方向における前記第１係止部と前記第２係止部との係止量を調整することにより、前記ピックアップベースが前記第１方向に位置調整されることを特徴とする請求項１記載の光ディスク装置。
【請求項３】
前記第２係止部を、前記挿通軸の上面に形成され、前記挿通孔を挿通されて前記第１係止部に係止する係止軸から構成したことを特徴とする請求項２記載の光ディスク装置。
【請求項４】
前記第１係止部を、前記ディスクトレイに形成された取付孔を挿通され、前記挿通軸よりも小さい径で形成される取付軸と、前記取付孔よりも大きい径で形成される頭部と、を有する取付部材から構成し、
前記第２係止部を、前記挿通軸の上面に形成され、前記取付軸が挿入されて当該取付軸に係止する係止凹部から構成したことを特徴とする請求項２記載の光ディスク装置。
【請求項５】
前記保持手段は、
前記ディスクトレイと前記ダンパーとの間に設けられ、前記挿通軸の上面及び前記ダンパーの上面に当接する当接部材と、
一端が前記ディスクトレイの下面に当接し、他端が前記当接部材の上面に当接して、前記当接部材を前記ダンパーに当接する方向に付勢する付勢部材と、を備え、
前記当接部材及び前記付勢部材は、前記第１方向における前記ダンパーの長さを、前記挿通軸と同一の長さに保持することを特徴とする請求項２ないし４いずれか１つ記載の光ディスク装置。
【発明の詳細な説明】
【技術分野】
【０００１】
本発明は、光ピックアップにより光ディスクに記録された情報の再生や記録を行う光ディスク装置に関するものである。
【背景技術】
【０００２】
ＣＤ−Ｒ、ＤＶＤなどの光ディスクはパーソナルコンピュータなどの記憶媒体として広く用いられている。最近ではデスクトップ型のものだけでなく、ノートパソコンと称される携帯型のものにも光ディスク装置が内蔵され、これらの光ディスクを用いることが可能となっている。光ディスク装置は、ディスクトレイ上に装填された光ディスクを高速で回転させるディスク回転機構と、光ディスクの半径方向に移動しながら光ディスクにレーザ光を照射して情報を記録し、あるいは光ディスクから反射されたレーザ光を受光して情報の読み出しを行う光ピックアップと、を備えている。
【０００３】
光ピックアップは、キャリッジに取り付けられており、キャリッジは、板金製のピックアップベースに取り付けられた支持シャフトに光ディスクの径方向に移動自在に支持されている。ピックアップベースには、光ディスクを回転させるスピンドルモータが取り付けられており、光ピックアップ及びスピンドルモータは、ＦＰＣ（Ｆｌｅｘｉｂｌｅ  Ｐｒｉｎｔｅｄ  Ｃｉｒｃｕｉｔ）により、制御基板に接続されている。ピックアップベースは、前記ディスクトレイに弾性体からなるダンパーを介して取り付けられる（例えば、特許文献１参照）。光ディスク装置が振動された場合には、ダンパーにより振動を吸収して、ディスクトレイ及びピックアップベースに振動が伝わらないようにしている。
【０００４】
ＦＰＣは屈曲性を有するため、ＦＰＣによる反力、ピックアップベース自体の平面寸法精度等で、スピンドルモータの回転テーブルの面高さや傾きが正規のものからズレてしまうことがあり、この場合には、スピンドルモータで光ディスクを保持することができなくなることがあり、問題となっていた。そこで、特許文献２では、ピックアップベースの高さを調整可能にした光ディスク装置が提案されている。
【特許文献１】特開２０００−３４８４７８号公報
【特許文献２】特開平９−２５１７６９号公報
【発明の開示】
【発明が解決しようとする課題】
【０００５】
しかしながら、特許文献２では、ピックアップベースの高さを調整するときに、弾性体からなる防振部材の高さ方向の長さも変化し、その防振特性が変化してしまうという問題があった。特に、防振特性が悪化した場合には、振動や衝撃を吸収することができなくなり、光ピックアップで情報の記録／読み出しを行うことができなくなるという問題があった。
【０００６】
本発明は、上記課題を解決するためになされたものであり、弾性体からなるダンパーの弾性特性を変化させることなく、ディスクトレイの高さ調整を行うことができる光ディスク装置を提供することを目的とする。
【課題を解決するための手段】
【０００７】
上記目的を達成するために、本発明の光ディスク装置は、光ディスクが上面に装填されるディスクトレイと、前記光ディスクを回転させるスピンドルモータ及び光ピックアップを保持し、前記ディスクトレイの下面に弾性体からなるダンパーを介して取り付けられるピックアップベースと、を備えた光ディスク装置において、前記ピックアップベースを、前記光ディスクの記録面に直交する第１方向に位置を調整可能に取り付ける取付位置調整手段と、前記第１方向における前記ダンパーの長さを一定に保持する保持手段と、を備えることを特徴とする。なお、前記保持手段は、前記取付位置調整手段により、前記ピックアップベースを前記第１方向に位置調整したときにも、前記第１方向における前記ダンパーの長さを一定に保持するものである。
【０００８】
また、前記取付位置調整手段は、前記ディスクトレイに設けられた第１係止部と、前記第１係止部に係止する第２係止部、前記ダンパーに形成された挿通孔を挿通される挿通軸、前記挿通孔よりも大きい径で形成される頭部を有する係止部材と、を備え、前記第１方向における前記第１係止部と前記第２係止部との係止量を調整することにより、前記ピックアップベースが前記第１方向に位置調整されることが好ましい。
【０００９】
さらに、前記第２係止部を、前記挿通軸の上面に形成され、前記挿通孔を挿通されて前記第１係止部に係止する係止軸から構成することが好ましい。なお、前記第１係止部としては、前記ディスクトレイに取り付けられたナット、前記ディスクトレイに形成され、ネジ切りされたネジ孔、前記ディスクトレイに取り付けられ、前記係止軸に係止する係止孔が形成された弾性部材等が挙げられ、前記係止軸としては、前記第１係止部が前記ナットまたは前記ネジ孔の場合には、ネジ切りされたネジ部が挙げられ、前記第１係止部が前記弾性部材の場合には、前記弾性部材に密着してその接触抵抗により係止するシャフト部が挙げられる。
【００１０】
また、前記第１係止部を、前記ディスクトレイに形成された取付孔を挿通され、前記挿通軸よりも小さい径で形成される取付軸と、前記取付孔よりも大きい径で形成される頭部と、を有する取付部材から構成し、前記第２係止部を、前記挿通軸の上面に形成され、前記取付軸が挿入されて当該取付軸に係止する係止凹部から構成することが好ましい。
【００１１】
さらに、前記保持手段は、前記ディスクトレイと前記ダンパーとの間に設けられ、前記挿通軸の上面及び前記ダンパーの上面に当接する当接部材と、一端が前記ディスクトレイの下面に当接し、他端が前記当接部材の上面に当接して、前記当接部材を前記ダンパーに当接する方向に付勢する付勢部材と、を備え、前記当接部材及び前記付勢部材は、前記第１方向における前記ダンパーの長さを、前記挿通軸と同一の長さに保持することが好ましい。なお、前記当接部材としては、ワッシャー、平面板等が挙げられ、前記付勢部材による付勢を受けたときにも変形しない剛性を有することが好ましい。なお、前記付勢部材としては、コイルバネ、板バネ等が挙げられる。
【発明の効果】
【００１２】
本発明の光ディスク装置によれば、光ディスクが上面に装填されるディスクトレイと、光ディスクを回転させるスピンドルモータ及び光ピックアップを保持し、ディスクトレイの下面に弾性体からなるダンパーを介して取り付けられるピックアップベースと、ピックアップベースを、光ディスクの記録面に直交する第１方向に位置を調整可能に取り付ける取付位置調整手段と、第１方向における前記ダンパーの長さを一定に保持する保持手段と、を備えるから、ダンパーによる振動や衝撃を吸収する弾性力を常に一定に保持しながら、ピックアップベースの高さ位置（第１方向の位置）を調整することができる。
【００１３】
また、取付位置調整手段は、ディスクトレイに設けられた第１係止部と、第１係止部に係止する第２係止部、ダンパーに形成された挿通孔を挿通される挿通軸、挿通孔よりも大きい径で形成される頭部を有する係止部材と、を備え、第１方向における第１係止部と第２係止部との係止量を調整することにより、ピックアップベースが第１方向に位置調整されるから、第１係止部と第２係止部との係止量を調整するだけで、容易にピックアップベースを第１方向に位置調整することができる。
【発明を実施するための最良の形態】
【００１４】
本発明を実施した光ディスク装置２を内蔵したノート型パソコンの外観を示す図１において、光ディスク装置２はパソコン本体３の一方の側面に組み込まれる。図は、光ディスク４を装填するためにトレイユニット５をいっぱいに引き出した様子を表している。光ディスク４の装填後、フロントカバー６を押圧するとトレイユニット５はパソコン本体３内に完全に格納された状態でロックされる。トレイユニット５を引き出すときには、フロントカバー６に設けられたイジェクトボタン６ａを押す。イジェクトボタン６ａが押されたとき、光ピックアップ２１（図３参照）が光ディスク４にアクセスしていなければ格納位置でのロックが解除され、トレイユニット５がバネの付勢により所定ストローク（例えば１０ｍｍ程度）突出するから、ユーザはフロントカバー６をつまんで図示の突出位置まで引き出し操作することができる。
【００１５】
図２に示すように、光ディスク装置２は、パソコン本体３の内部に固定される金属薄板製のフレーム１０と、フレーム１０の左右の側壁に設けられたガイドレールに沿ってスライドするスライドレール１１，１２と、これらのスライドレール１１，１２に対してさらにスライド自在に組み付けられたトレイユニット５とからなる。フレーム１０の側壁の内面にはスライドレール１１，１２の移動をガイドするプラスチック製のガイドレールが固定されている。
【００１６】
図２において、トレイユニット５は、光ディスク４の外径に対応した窪みが形成されたプラスチック製のディスクトレイ１４と、ディスクトレイ１４の下側から組み付けられたピックアップユニット１５とを含む。ディスクトレイ１４の側壁にはトレイユニット５のスライド方向に延びたガイド用の突条と溝とが一体成形され、前述したスライドレール１１，１２が係合している。これにより、ディスクトレイ１４がスライドレール１１，１２及び、前述のガイドレールを介してフレーム１０にスライド自在に支持され、ピックアップユニット１５はディスクトレイ１４のスライドに伴って同方向に移動する。なお、ディスクトレイ１４、スライドレール１１，１２、ガイドレールにはそれぞれ適宜の位置にストッパが設けられ、ディスクトレイ１４及びスライドレール１１，１２は予め決められた範囲内でスライドする。
【００１７】
ピックアップユニット１５には、光ディスク４を回転させるスピンドルモータ１６、スピンドルモータ１６の駆動軸に固定されたチャッキングコア１７が設けられている。ディスクトレイ１４の窪みに合わせて光ディスク４を装填すると、チャッキングコア１７が光ディスク４のチャック孔４ａ（図１参照）に係合して光ディスク４を保持する。
【００１８】
フレーム１０の奥側にはイジェクトバネ１８を含むイジェクト機構１９が設けられ、イジェクトボタン６ａを押して格納位置でのロックが解除されると、前述のようにトレイユニット５はイジェクトバネ１８の付勢により所定ストロークだけ突出する。なお、符号６ｂは光ディスク４にアクセス中であることを外部表示する表示部、符号６ｃは緊急操作用のイジェクト穴を示す。故障やパソコンの暴走などでイジェクトボタン６ａの操作ではイジェクトできなくなっても、イジェクト穴６ｃに固い細線を差し込むことによって格納位置でのロックを解除してディスクトレイ１４を引き出すことが可能となる。
【００１９】
図２に示す突出位置からディスクトレイ１４を押し込むと、スライドレール１１，１２上をディスクトレイ１４が奥に向かってスライドし、またスライドレール１１，１２がフレーム１０に固定されたガイドレール上を奥に向かってスライドする。フレーム１０に対してディスクトレイ１４が所定の位置まで押し込まれると、イジェクトバネ１８をチャージした状態でディスクトレイ１４にフック（図示せず）が係合し、ディスクトレイ１４は格納位置に機械的にロックされる。
【００２０】
図３及び図４に示すように、ピックアップユニット１５は、スピンドルモータ１６と、光ピックアップ２１が取り付けられたキャリッジ２２と、キャリッジ２２を光ディスク４の径方向に移動自在に支持する第１支持シャフト２３及び第２支持シャフト２４と、を備える。また、ピックアップユニット１５は、キャリッジ２２に設けられたギアは、スクリューモータにより回転するリードスクリューに噛合しており、スクリューモータの回転により、キャリッジ２２は光ディスク４の径方向に移動する。スピンドルモータ１６及び光ピックアップ２１は、図示しないＦＰＣ（Ｆｌｅｘｉｂｌｅ  Ｐｒｉｎｔｅｄ  Ｃｉｒｃｕｉｔ）により、光ディスク装置２の駆動を制御する制御基板に接続されている。
【００２１】
第１支持シャフト２３、第２支持シャフト２４及びスクリューモータは、ネジ等により板金製のピックアップベース２５に取り付けられている。スピンドルモータ１６は、板金製のモータプレートに固着されており、モータプレートは、ピックアップベース２５に取り付けられている。
【００２２】
ピックアップベース２５の上面には、ピックアップベース２５の上面を覆う板金製のカバープレート２６が取り付けられている。カバープレート２６には、スピンドルモータ１６から半径方向に延びた開口２６ａが形成され、この開口２６ａを通して光ピックアップ２１が光ディスク４にアクセスする。
【００２３】
ピックアップベース２５には、ダンパー３０を取り付けるためのダンパー取付部２５ａが３個形成されている。ダンパー取付部２５ａには、ダンパー３０が挿入される取付孔２５ｂが形成されている。
【００２４】
図５及び図６に示すように、ダンパー３０は、振動や衝撃を吸収する弾性体として作用する柔軟なゴムで構成されており、係止ネジ（係止部材）３２の係止軸３２ａ及び挿通軸３２ｂが挿通されるダンパー挿通孔３０ａが形成された円筒状に形成されている。ダンパー３０は、側面の上下方向の中心部に、ダンパー取付部２５ａに取り付けるための取付凹部３０ｂが全周に亘って形成されている。
【００２５】
ディスクトレイ１４には、ピックアップベース２５を係止するための係止孔１４ａが、ダンパー取付部２５ａに対応した位置に３個形成されている。係止孔１４ａには、係止ネジ３２のネジ切りされた係止軸（第２係止部）３２ａを係止する第１係止部としてのナット３１が圧入されている。ナット３１の取り付けは、圧入に限定されることなく、挿入した後に接着剤等で固定する、ディスクトレイ１４にインサート成形する等、適宜変更可能である。
【００２６】
係止ネジ（係止部材）３２は、ダンパー３０を介してピックアップベース２５をディスクトレイ１４に取り付けるものであり、係止軸（第２係止部）３２ａと、係止軸３２ａよりも大きい径で形成された挿通軸３２ｂと、ダンパー挿通孔３０ａよりも大きい径で形成された頭部３２ｃと、を備える。
【００２７】
係止軸３２ａは、ディスクトレイ１４に取り付けられたナット３１に噛合するものであり、ネジ切りされている。挿通軸３２ｂは、ダンパー３０のダンパー挿通孔３０ａを挿通されるものであり、詳しくは後述するように、挿通軸３２ｂの長さが、ダンパー３０の圧縮後の長さとなる。本実施形態では、係止ネジ３２を図５中Ｂ方向に回転したときに、係止軸３２ａがナット３１にネジ締めされ、係止軸３２ａを図５中Ｃ方向に回転したときに、係止軸３２ａとナット３１とのネジ締めが緩むようにされている。
【００２８】
ダンパー３０の上面には、挿通軸３２ｂの上面及びダンパー３０の上面に当接する当接部材としてのワッシャー３３が載せられる。ワッシャー３３は、金属製で、且つ、後述するＳＰＷ３４による付勢力を受けたときにも変形しない厚みで形成されている。ワッシャー３３は、係止軸３２ａよりも大きい径で、且つ挿通軸３２ｂよりも小さい径のワッシャー挿通孔３３ａが形成されており、ワッシャー挿通孔３３ａには、係止軸３２ａが挿通される。
【００２９】
ディスクトレイ１４とワッシャー３３との間には、金属製のスプリングワッシャー（以下、ＳＰＷと称する）３４が圧縮された状態で配されている。ＳＰＷ（付勢部材）３４は、係止軸３２ａよりも大きい径で、且つ挿通軸３２ｂよりも小さい径のＳＰＷ挿通孔３４ａが形成されている。ＳＰＷ３４は、上面（一端）がディスクトレイ１４の下面に当接し、下面（他端）がワッシャー３３に当接しており、ワッシャー３３を、ダンパー３０に当接する方向（図６における下方向）に付勢している。
【００３０】
ＳＰＷ３４は、ワッシャー３３を付勢する付勢力が、圧縮されたダンパー３０が元の形状に戻ろうとする復元力よりも大きい力となるように形成されている。したがって、ワッシャー３３は、挿通軸３２ｂの上面に常に当接し、頭部３２ｃとワッシャー３３との間の長さが常に一定となる。これにより、光ディスク４の記録面に直交する第１方向（図６中Ａ方向）におけるピックアップベース２５の位置が変化した場合にも、Ａ方向におけるダンパー３０の長さＤＬが一定（圧縮量が一定）となる。
【００３１】
次に、上記のように構成された光ディスク装置２の作用について説明する。図６に示すように、ディスクトレイ１４にピックアップベース２５を取り付ける場合には、先ず、ダンパー３０をピックアップベース２５のダンパー取付部２５ａに取り付ける。そして、ダンパー３０の上にワッシャー３３を載せ、ワッシャー３３の上にＳＰＷ３４を載せる。次に、係止ネジ３２の係止軸３２ａを、ダンパー挿通孔３０ａ、ワッシャー挿通孔３３ａ、ＳＰＷ挿通孔３４ａの順に挿通した後、係止ネジ３２を図５中Ｂ方向に回転して、係止軸３２ａを、ディスクトレイ１４に圧入されたナット３１に噛合させる。なお、係止ネジ３２の回転停止位置は、治具等を用いて決定する。
【００３２】
ピックアップベース２５に取り付けられたスピンドルモータ１６及び光ピックアップ２１は、屈曲性を有するＦＰＣにより制御基板に接続されており、ＦＰＣによる反力、ピックアップベース２５自体の平面寸法精度等で、ピックアップベース２５の高さが正規の高さ位置からズレてしまうことがある。このため、ディスクトレイ１４にピックアップベース２５を取り付けた後、オートコリメーター等の測定装置を用いて、ピックアップベース２５の高さ及び傾きを測定する。そして、ピックアップベース２５の高さ位置が正規の高さ位置に対してズレている場合には、正規の高さ及び傾きとなるように、係止ネジ３２を回転させて、係止軸３２ａとナット３１とのＡ方向の噛合量（係止量）を調整する。例えば、ピックアップベース２５の高さが、正規の高さ位置よりも高い場合には、係止ネジ３２を図５中Ｃ方向に回転して、ピックアップベース２５の高さが、正規の高さ位置よりも低い場合には、係止ネジ３２を図５中Ｂ方向に回転する。また、ピックアップベース２５の傾きを調整する場合にも、係止ネジ３２を回転することにより行う。
【００３３】
このように、係止ネジ３２を回転させて、係止軸３２ａとナット３１とのＡ方向の噛合量（係止量）を調整することにより、ピックアップベース２５の高さ及び傾きを調整することができ、さらには、係止ネジ３２を回転させて、ピックアップベース２５の高さ及び傾きを調整したときにも、ワッシャー３３及びＳＰＷ３４は、光ディスク４の記録面に直交する第１方向（図６中Ａ方向）におけるダンパー３０の長さＤＬを一定（圧縮量が一定）に保持するから、ダンパー３０による振動や衝撃を吸収する弾性力を常に一定に保持しながら、ピックアップベース２５の高さ位置を調整することができる。これにより、ピックアップベース２５がディスクトレイ１４に対する正規の位置からズレている（高さ及び傾き）ことに起因する光ディスク４の保持不良を確実に防止することができる。
【００３４】
なお、上記実施形態では、ダンパー取付部２５ａを３個設け、各ダンパー取付部２５ａにダンパー３０を取り付けたが、ダンパー取付部２５ａ及びダンパー３０の個数は、３個に限定されることなく、適宜変更可能である。
【００３５】
図７及び図８に他の実施形態を示す。上記実施形態のものと同様の構成部材には同一の符号を付し、その詳細な説明を簡略化する。この実施形態では、ダンパー３０のダンパー挿通孔３０ａには、ネジ受け台（係止部材）４０の挿通軸４０ａが挿通されている。ネジ受け台４０は、ダンパー挿通孔３０ａを挿通される挿通軸４０ａと、ダンパー挿通孔３０ａよりも大きい径で形成される頭部４０ｂと、を備え、挿通軸４０ａの上面には、ネジ切りされた係止凹部４０ｃが形成されている。
【００３６】
係止ネジ（取付部材）４１は、ディスクトレイ１４の取付孔１４ｂを挿通される取付軸４１ａと、取付孔１４ｂよりも大きい径で形成される頭部４１ｂとを備え、取付軸４１ａはネジ切りされている。
【００３７】
ディスクトレイ１４の上面には、取付軸４１ａを挿通するための取付孔１４ｂと、頭部４１ｂを格納するための格納凹部１４ｃと、が連通して形成されている。取付孔１４ｂ及び格納凹部１４ｃは、ダンパー取付部２５ａに対応した位置にそれぞれ３個形成されている。格納凹部１４ｃは、頭部４１ｂを格納したときに、ディスクトレイ１４の上面から頭部４１ｂが突出しない深さで形成されている。これにより、ディスクトレイ１４に装填した光ディスク４が、頭部４１ｂに当接して傷つくことを防止することができる。
【００３８】
ディスクトレイ１４にピックアップベース２５を取り付ける場合には、先ず、ダンパー３０をピックアップベース２５のダンパー取付部２５ａに取り付ける。そして、ダンパー３０の上にワッシャー３３を載せ、ワッシャー３３の上にＳＰＷ３４を載せる。次に、ネジ受け台４０の挿通軸４０ａを、ダンパー挿通孔３０ａに挿通する。そして、係止ネジ４１の取付軸４１ａを、取付孔１４ｂ、ＳＰＷ挿通孔３４ａ、ワッシャー挿通孔３３ａの順に挿通した後、係止ネジ４１を回転させて、取付軸４１ａを係止凹部４０ｃに噛合させる。
【００３９】
係止ネジ４１を用いて、ディスクトレイ１４にピックアップベース２５を取り付けた後、オートコリメーター等の測定装置を用いて、ピックアップベース２５の高さ及び傾きを測定し、所望する高さ及び傾きとなるように、係止ネジ４１を回転させて、取付軸４１ａと係止凹部４０ｃとのＡ方向の噛合量（係止量）を調整する。係止ネジ４１を回転させて、ピックアップベース２５の高さ及び傾きを調整したときにも、ワッシャー３３及びＳＰＷ３４は、光ディスク４の記録面に直交する第１方向（図８中Ａ方向）におけるダンパー３０の長さＤＬを一定（圧縮量が一定）に保持する。
【図面の簡単な説明】
【００４０】
【図１】本発明の光ディスク装置を備えたノート型パソコンの外観図である。
【図２】光ディスク装置を示す斜視図である。
【図３】ピックアップユニットを示す上面図である。
【図４】ピックアップユニットを示す斜視図である。
【図５】ディスクトレイとピックアップベースとダンパーとナットと係止ネジとワッシャーとＳＰＷとを示す斜視図である。
【図６】ディスクトレイとピックアップベースとダンパーとナットと係止ネジとワッシャーとＳＰＷとを示す側面断面図である。
【図７】ネジ受け台と係止ネジとを用いた実施形態のディスクトレイとピックアップベースとダンパーとワッシャーとＳＰＷとネジ受け台と係止ネジとを示す斜視図である。
【図８】図７に示す実施形態のディスクトレイとピックアップベースとダンパーとワッシャーとＳＰＷとネジ受け台と係止ネジとを示す側面断面図である。
【符号の説明】
【００４１】
２  光ディスク装置
１４  ディスクトレイ
１４ａ  係止孔
１４ｂ  取付孔
１６  スピンドルモータ
２１  光ピックアップ
２５  ピックアップベース
２５ａ  ダンパー取付部
２５ｂ  取付孔
３０  ダンパー
３０ａ  ダンパー挿通孔
３１  ナット（第１係止部）
３２  係止ネジ（係止部材）
３２ａ  係止軸
３２ｂ  挿通軸
３２ｃ  頭部
３３  ワッシャー（当接部材）
３４  スプリングワッシャー（付勢部材）
４０  ネジ受け台（係止部材）
４０ａ  挿通軸
４０ｂ  頭部
４０ｃ  係止凹部
４１  係止ネジ（取付部材）
４１ａ  取付軸
４１ｂ  頭部
【図１】
2008016127.tif 000003
【図２】
2008016127.tif 000004
【図３】
2008016127.tif 000005
【図４】
2008016127.tif 000006
【図５】
2008016127.tif 000007
【図６】
2008016127.tif 000008
【図７】
2008016127.tif 000009
【図８】
2008016127.tif 000010